(57)【要約】【目的】開閉する扉を有する可変入賞装置における組立てと、取付基板の組付け乃至交換を容易に行えるようにした可変入賞装置。【構成】飛入口（６９）を開設する取付基板（２）と、前記飛入口を開閉する扉（１４）と、機構体（３）とを個別に形成して、機構体（３）は前記飛入口（６９）に臨んで入賞球を受け入れる入賞球受枠（５）と、前記扉を開閉動するソレノイド（３６）を保持する機構枠（６）とから構成し、該入賞球受枠（５）と機構枠（６）とを連結係止片（４９）と係止受部（１１）による結合によって一体的に連結結合し組立てる。その一方、該機構体（３）と前記別に形成する取付基板（２）とを係止爪片（７１）と係止部（１２）との係脱自由な係合によって一体的に連結組立て、必要に応じて前記機構体（３）と取付基板（２）との組合せを自由に変換できるようにする。【選択図】        図６
2007044387.tif 000002
【特許請求の範囲】
【請求項１】
飛入口を開設する取付基板と、前記飛入口を開閉する扉と、前記取付基板の背後に組付ける機構体を個別に形成し、前記機構体は前記飛入口に臨んで入賞球を受け入れ且つ整列して系外の入賞球通路に誘導する入賞球受枠と、前記扉を揺動連結手段を介して開閉動するソレノイドを保持する機構枠とから構成すると共に、該入賞球受枠と機構枠とを連結結合して一体化し独立の機構体とする一方、前記扉は前記入賞球受枠の前面の開口部若しくは前記取付基板の飛入口のいずれかに形成する軸受部に支軸を介して開閉自由に枢着支持し、また前記取付基板と前記機構体には相互に連結結合する連結結合部を形成して該両者の連結によって組立て完成することを特徴とした可変入賞装置。
【請求項２】
請求項１の記載において、入賞球受枠の背面部にはレンズ体の装着部を形成し、該装着部に背後に発光源を有するレンズ体を添わせ、該入賞球受枠と機構体の連結結合を介して両者間に挟持固定することを特徴とした可変入賞装置。
【請求項３】
請求項１の記載において、機構体には前面に向けて開放するソレノイドの取付台を、また入賞球受枠には上記取付台に対応して背面側に向けて開放する受部を形成すると共に該受部から前方に向けて揺動体挿通空部を形成し、前記取付台にソレノイドを載置してそプランジャに連結する連結揺動体を前記揺動体挿通空部に通し、扉に形成する連結突起部に臨ませると共に、前記機構枠と入賞球受枠との連結結合によって該両者間に前記ソレノイドを挟持固定することを特徴とした可変入賞装置。
【請求項４】
請求項１乃至３の記載において、連結係合部は帯板状をなし先端部に係止爪を有する係止爪片と、該係止爪片の係止爪を掛止める係止部とからなることを特徴とした可変入賞装置。
【請求項５】
請求項４の記載において、係止爪片は取付基板に開設する飛入口の両側部背面部から後方に向けて延設し、他方係止部は機構体の左右側壁部にそれぞれ前記係止爪片に対応させて形成し、前記取付基板の背面に向けて前記機構体を衝き合せることで前記係止爪片と前記係止部とを連結係合し、組立て完成することを特徴とした可変入賞装置。
【請求項６】
請求項１乃至５の記載において、入賞球受枠の左右側壁部には係止受部を、また機構枠の左右側壁部には前記係止受部に対応して連結係止片を前方に向けて延設し、前記入賞球受枠と機構枠の衝き合せによって前記連結係止片と係止受部とを結合し、前記入賞球受枠と機構枠とを一体に組立てることを特徴とした可変入賞装置。
【請求項７】
請求項１乃至６の記載において、取付基板には１若しくは２個の飛入口を開設し、該飛入口のそれぞれに取付基板の背後から個別の機構体を臨ませ、各入賞球受枠の前面に形成する開口部を連通させ、且つ該取付基板と機構体とを結合して組立てることを特徴とした可変入賞装置。
【請求項８】
請求項１乃至７の記載において、入賞球受枠の前面の開口部には左右の側部に軸受部を形成し、該軸受部と扉の両側部に備える枢着部と支軸を介して枢着し、前記扉を開閉自由に取付けることを特徴とした可変入賞装置。
【請求項９】
請求項１乃至７の記載において、取付基板の飛入口の左右の側部には軸受部を形成し、該軸受部と扉の両側部に備える枢着部とを支軸を介して枢着し、前記扉を開閉自由に取付けることを特徴とした可変入賞装置。
【発明の詳細な説明】
【技術分野】
【０００１】
本発明は、パチンコ機の可変入賞装置に関する。
【背景技術】
【０００２】
可変入賞装置にはタイプを異にした各種の装置が多数提案されている。
この中で、本発明に係る可変入賞装置は、飛入口に支軸を支点にして起立する閉塞姿勢と、前方に向けて水平に転倒する開放姿勢との間を揺動する扉を備え、閉塞時には球の入賞を困難若しくは不能にし、開放時には遊技盤の前面を落下する打球を受止め、上記飛入口へと誘導するようにした扉付きの可変入賞装置に関する。
【０００３】
開閉する扉を備えてなる可変入賞装置（以下、可変入賞装置という。）は、主たる構成要素として、開閉動する扉と、この扉を開閉駆動するソレノイドと、入賞球を計数する検出スイッチと、入賞装置本体を遊技盤に取付けるための取付基板と、を基本的に備えている。また、これに加えて照明のための設備、そして駆動源となるソレノイドに対する電力や信号を供給するコード、コードを接続する接続端子を備えた配線基板、等を組付け形成されている。このため、装置としては極めて雑多な部品の集まりからなり複雑な構造体となっているのが普通である。
【０００４】
この様なことから、可変入賞装置は部品数や相互の位置関係を整合させること等から組立作業が厄介であり、従って製造性が悪く、また部品数の多さから装置が大型化する傾向があり、遊技盤における制約された設置空間内に収めにくいと言った問題がある。
【０００５】
一方、この可変入賞装置は、入賞球を受ける機能に加えて遊技盤を飾る装飾部品としての重要な機能を併せもっている。特に、この可変入賞装置の前面に設けられる取付基板、そして飛入口（入賞口）を開閉する扉は、遊技盤面を飾るデザインの重要な一部を構成するものとなっている。
しかし、従来これらは入賞球を受け入れる入賞室や、扉を開閉動するソレノイド、照明設備等を収容する本体部分、つまり機構体と一体をなすものとして多くは合成樹脂を素材にして一体的形成がなされているのが普通であった。このため、前面の取付基板を替えるだけでデザインの変更できるにもかゝわらず、可変入賞装置の全体を入れ替える等して対応しなければならない問題があった。
【０００６】
この遊技盤のデザインの変更に伴う可変入賞装置の全面的な取り替えに対する改善策として、本体部分と取付基板を別体に成形し、取付基板を本体部分にネジ止めによって組付けられるように構成し、これによって変更される遊技盤のデザインに合せて取付基板を選択し、組付けることで各種の異るデザインの遊技盤に対応するようにしたものが、例えば特許文献１によって提案されている。  
【特許文献１】特許第３６０５８４５号公報。
【０００７】
この特許文献１に係るパチンコ機の入賞装置は、入賞装置の本体となる箱枠１２と、球入口１１を形成する取付板１０とを別体にして、予め取付板１０に穿設しておく透孔１７を通して箱枠１２に形成する突起１６を嵌合し、組付けるようにしたものであり、上記別体に形成することにより取付板１０の取り替えを自由にして入賞装置の前面部分のデザインの変更を容易にし、それまで本体部分を含む全体の変更を要していた無駄をこの取付板１０のみの変更とすることで解消するようにしたものである。
【０００８】
この取付板１０、即ち取付基板を本体部分と別体にして組合せる構造は、それ以前の本体部分と一体化した入賞装置に比較して、前面の変更を容易にするものではあるが、本体部分そのものの構造は全く従来通りのものであり、特段の改善はされておらず、それぞれ組込まれる部品はねじを用いた止め付けが中心としたもので、手数の掛るものとなっている。
ことに、取付板１０の本体部分への取付けに使用されるねじは、取付板の前面側からねじ付けられるものであるため、ねじ付けの煩わしさも去ることながら、ねじの頭部がそのまま露出し、外観、そしてデザインを損ねるものとなる。
【発明の開示】
【発明が解決しようとする課題】
【０００９】
本発明は、上述従来の実情に鑑み、これを改善すべく開発されたものである。その主たる目的は、可変入賞装置の構造の簡潔化を図ることであり、組立を容易にして製造性を改善したことにある。
ことに、本発明は可変入賞装置を構成する複数の構成部分を予め複数個の構成体に分割して個別に成形し、これらの構成体の組入れを容易にすると同時に、構成体相互の組合せを簡略化したことにある。
【００１０】
併せて本発明は、可変入賞装置の前面を形成する取付基板を機構体と独立のものにしてこの取付基板の単独での変更を自由にし、可変入賞装置全体のデザインの変更も容易に行えるようにした可変入賞装置を提供しようとするものである。
【００１１】
本発明は可変入賞装置において、必須の構成体となる取付基板を本体部分、つまり機構体と別体に形成すること、そして、この機構体に対して取付基板の取り替えを自由にしてデザインの変更を容易にすること、の他に、上記機構体を合成樹脂の成形品からなる複数個の構成体に分け、各部に形成する取付部にそれぞれの部品類を個別に収める一方、各構成体相互の連結結合を通してこれら部品類を固定し、個別の固定を省略して迅速な組付けと、適正且つ適確な組立を可能にし、製造性を高めるようにした可変入賞装置を提供しようとするものである。
【課題を解決するための手段】
【００１２】
本発明は、上記目的を達成するため、可変入賞装置を構成する部分を取付基板と、取付基板に開設する飛入口（入賞口）を開閉する扉と、機構部本体となる機構体とから構成し、上記機構体は前記飛入口からの入賞球を受け入れる入賞球受枠と、前記扉を開閉動するソレノイドを保持する機構枠とから構成して、これらを個別に形成し、その一方これらの構成部分相互を一定の連結手段によって組合せるようにして各部の成形を容易にし、且つ部分相互の組合せを通してその他の部品の組付けを行い、精度の高い組立を図り、製造性を高めたことにある。
【００１３】
本発明に係る可変入賞装置を更に詳述すると、本発明は飛入口を開設する取付基板と、前記飛入口を開閉する扉と、前記取付基板の背後に組付ける機構体を個別に形成し、前記機構体は前記飛入口に臨んで入賞球を受け入れ且つ整列して系外の入賞球通路に誘導する入賞球受枠と、前記扉を揺動連結手段を介して開閉動するソレノイドを保持する機構枠とから構成すると共に、該入賞球受枠と機構枠とを結合して一体化し独立の機構体とする一方、前記扉は前記入賞球受枠の前面の開口部若しくは前記取付基板の飛入口のいずれかに形成する軸受部に支軸を介して開閉自由に枢着支持し、また前記取付基板と前記機構体には相互に連結結合する連結結合部を形成して該両者の連結係合によって組立て完成するようにした可変入賞装置を提案することにある。
【００１４】
また本発明は、上記記載の可変入賞装置において、入賞球受枠の背面部にはレンズ体の装着部を形成し、該装着部に背後に発光源を有するレンズ体を添わせ、該レンズ体を入賞球受枠と機構体の連結結合を介して両者間に挟持固定することを特徴とした可変入賞装置を提供することにある。
【００１５】
また本発明は、前記機構体には前面に向けて開放するソレノイドの取付台を、また入賞球受枠には上記取付台に対応して背面側に向けて開放する受部を形成すると共に該受部から前方に向けて揺動体挿通空部を形成し、前記取付台にソレノイドを載置してそのプランジャに連結する連結揺動体を前記揺動体挿通空部に通し、扉に形成する連結突起部に臨ませると共に、前記機構枠と入賞球受枠との連結結合によって該両者間に前記ソレノイドを挟持固定することを特徴とした可変入賞装置を提供することにある。
【００１６】
また本発明は、前記連結係合部は帯板状をなし先端部に係止爪を有する係止爪片と、該係止爪片の係止爪を掛止める係止部とからなることを特徴とした可変入賞装置を提供することにある。
【００１７】
また本発明は、前記係止爪片は取付基板に開設する飛入口の両側背面部から後方に向けて延設し、他方係止部は機構体の左右側壁部にそれぞれ前記係止爪片に対応させて形成し、前記取付基板の背面に向けて前記機構体を衝き合せることで前記係止爪片と前記係止部とを連結係合し、組立て完成することを特徴とした可変入賞装置を提供することにある。
【００１８】
また本発明は、前記入賞球受枠の左右側壁部には係止受部を、また機構枠の左右側壁部には前記係止受部に対応して連結係止片を前方に向けて延設し、前記入賞球受枠と機構枠の衝き合せによって前記連結係止片と係止受部とを結合し、前記入賞球受枠と機構枠とを一体に組立てることを特徴とした可変入賞装置を提供することにある。
【００１９】
また更に本発明は、前記取付基板には１若しくは２個の飛入口を開設し、該飛入口のそれぞれに取付基板の背後から個別の機構体を臨ませ、各入賞球受枠の前面に形成する開口部と前記飛入口とを連通させると共に、該取付基板と機構体とを結合し、組立てなることを特徴とした可変入賞装置を提供することにある。
【００２０】
更に本発明は、前記入賞球受枠の前面の開口部には左右の側部に軸受部を形成し、該軸受部と扉の両側部に備える枢着部と支軸を介して枢着し、前記扉を開閉自由に取付けてなることを特徴とした可変入賞装置を提供することにある。
【００２１】
また本発明は、前記取付基板の飛入口の左右の側部には軸受部を形成し、該軸受部と扉の両側部に備える枢着部と支軸を介して枢着し、前記扉を開閉自由に取付けることを特徴とした可変入賞装置を提供することにある。
【００２２】
上記本発明に係る可変入賞装置は、前面側から取付基板、扉、そして入賞球受枠と機構枠を含む機構体、の順番で配置することになる。前記入賞球受枠の背後に添わせるレンズ体、機構枠の取付台に載置するソレノイドのホルダを含むこれらの部材は、合成樹脂を素材にして個別に成形することになり、上記各部同士を連結係合することによって組込まれることになる。
【００２３】
とりわけ上記入賞球受枠と機構枠、つまりこの２つの組合せによって構成される機構体は、可変入賞装置の本体部分を構成する主要部となると同時に、この両枠の連結結合を通してそれぞれに組込まれる部材がねじ止め等を介することなく組付け固定され、高い精度を以て簡単に組立製造できるものとなっているのである。
【００２４】
前記入賞球受枠は、前面を開放した箱形に形成して取付基板に開設する飛入口に臨む開口部を前面に有し、入賞球を受け入れ、これを整列する入賞球室を形成する。
上記入賞球室は、上記飛入口の横幅に合せて横長の部屋に形成し、底部を傾けて飛入する入賞球を左右の一方に整列誘導し、更にこの勾配の下流部に球通路を形成し、外部（系外）の入賞球通路に接続して放出するようにしてあり、この球通路の放出口に検出スイッチを装着する装着部を一体に設けるようにしてある。
【００２５】
一方、上記入賞球受枠には入賞球室の一側部に隣接させてソレノイドの連結揺動体を通す揺動体挿通空部を形成する。この揺動体挿通空部は、その背後から臨むソレノイドのプランジャに連結する連結揺動体を貫通させるもので、連結揺動体の一方の揺動腕を前記取付基板の飛入口を開閉する扉の背面に向けて突き出せるようにしてある。
【００２６】
上記揺動体挿通空部の後半部は、連結揺動体を含むホルダの前半部が入り込む受部を形成し、機構枠に形成する取付台と共同してホルダを前後から挟持し、これを固定する。
【００２７】
その一方、前記レンズ体は、前記入賞球室を背後から照明するためのものであり、このレンズ体は合成樹脂板の表面を凹凸に形成し、光の拡散が図られており、背面部には後方に突き出すスペース台を介して光源となるＬＥＤ基板を添わせるようにしてある。そして、このレンズ体は入賞球受枠の背面部に形成する装着部に添わせて前記機構枠との連結組合せを利用して両者間に挟持固定するものとしてある。
【００２８】
機構枠は、合成樹脂を素材に成形されており、前面側には前記入賞球受枠に形成する揺動体挿通空部、更に厳密にはその後部に形成する前記受部に対応させてソレノイドを格納する取付台を備え、背面側には接続端子を備えたプリント基板を装着する基板装着部を備える。
【００２９】
この機構枠は、前記入賞球受枠と組合わせることによって可変入賞装置の本体部分となる機構体を形成することになる。この組合せ結合を実行するため、機構枠と前記入賞球受枠には相互に係合する連結係合手段たる連結係止片と、これを受ける係止受部が設けられる。
上記連結係止片は、合成樹脂素材の弾性を利用して先端部に設ける爪を係止受部に掛止める構造にしてあり、上記機構枠と入賞球受枠との衝き合せ作業を通して掛け合わせ、両枠の結合を果すようにしてあり、また上記片の先端部を撓めることで爪の係合を外し、係止受部から外すことができるようにしてある。
【００３０】
ところで、ソレノイドのホルダは、ソレノイドと連結揺動体との組合せを高い精度の下で円滑に行うために用意されたものであり、ここにはソレノイドとソレノイドのプランジャの直進的な動きを揺動運動に変換する連結揺動体と、この両者を連結する連結体とを組込んでユニット化してあり、ホルダを中心に扉を開閉動するための駆動機構を構成している。
【００３１】
前記ホルダは、前方と上方を開放する箱形に形成してあり、前縁の両側部に軸受部を設け、この軸受部にＬ字形に形成する前記連結揺動体の中央部に植設する支軸を横架軸承して組付け、Ｌ字形をなす一方の揺動腕を前記連結体を介して前記プランジャの先端部に連結し、組立てるようにしてある。
このホルダは、前記取付台に収めることにより他方の揺動腕を前方に突き出し、この腕を前記揺動体挿通空部に通してその前方に位置する扉の背面に向けられるようにしてあるのである。
【００３２】
本発明の可変入賞装置の前面を飾る前記取付基板は、合成樹脂を材料に板状に形成し、中央部に前記飛入口を開設する。
上記飛入口は、背後に備える前記機構体の数に合せて１個である場合、２個である場合があり、２個である場合には上下に併設することになる。
尚、１個の飛入口を大きく開設して２個の機構体を上下並行に臨ませ、２個の機構体をセットする場合もあり、更には飛入口を３段に開設して個々の飛入口に機構体をセットする場合もある。
【００３３】
この飛入口の両側背面部には上記機構体を連結するための係止爪片を延設し、機構体の入賞球受枠に形成する係止部に先端部に設ける爪を掛止めてこの機構体を一体に組付けることができるようにしてある。
尚、本発明は前記の如く飛入口を上下に２個並べて開設し、それぞれに機構体を組付けた場合は、実質的に二段形の可変入賞装置となり、また３個併設する場合は３段形の可変入賞装置となることは言うまでもない。
【００３４】
一方、上記飛入口を開閉する扉は、取付基板の飛入口の両側部か、若しくは前記入賞球受枠の入賞球室前面の開口部の両側部のいずれかに設ける軸受部に支軸を軸承させることによって回動自由に枢着支持されることになる。
この扉の枢着は、軸受部を取付基板に設けるか、入賞球受枠に設けるかによって取付基板の取り替え時のデザインの変更に差を生じるものとなる。例えば、扉を取付基板側に枢着支持した場合には取付基板と共に扉も併せて交換することになり、入賞球受枠側に枢着支持した場合には取付基板の取り替えに関係なく残され、デザインの変更に際しては取付基板のみとなり、最も簡易なデザインの変更となる。
【発明の効果】
【００３５】
本発明は、上述した如く可変入賞装置の構成体を取付基板と、扉と、機構体のそれぞれに区分し、これらを個別に形成して、前記扉を取付基板と機構体のいずれかに組付ける一方、最終的に取付基板と機構体の二者を連結結合手段を介して連結結合し、可変入賞装置を組立てる構造としたことから、上記機構体を諸種形態の異なる取付基板に対して使用を可能にする共通化を図ることができ、取付基板の変更のみによって異なる可変入賞装置を提供することができる。
【００３６】
また、本発明に係る可変入賞装置は、前述のように取付基板と機構体の両者の組合せ関係を最終組立ての前に任意選択することができるようにしたので、同一の機構体を用いて各種異なる取付基板との組合せによって簡単に異なるデザインの可変入賞装置を得ることができると共に、機構体から取付基板を外し、他の取付基板と交換することによってデザインを変更することができるので、使用済の機構体に対して新たな取付基板を組合せることによって再使用に供することができることになる。
【００３７】
また、本発明は機構体を入賞球受枠と機構枠から構成し、入賞球受枠には入賞球室を始めとする入賞球を処理する機能を分担させ、機構枠には扉を開閉動するソレノイドを中心とする駆動機構を収めてそれぞれ部品の組込みを容易にすると同時に、この両枠体の結合を通して各部品の組付けを完了する構造としたことから高い精度を以て極めて容易に組立製造ができるものとなっている。
以下、本発明を実施の形態に従って更に詳述し、その特徴とするところを明らかにする。
【発明を実施するための最良の形態】
【００３８】
図面は本発明に係る可変入賞装置の一実施形態を示すものである。図１は本発明可変入賞装置の正面図、図２は右側面図、図３は背面図、図４は斜視図であり、図５は図１のＡ−Ａ線断面図、図６は同じくＢ−Ｂ線に沿って断面とした平面図である。
図面における符号１は本発明に係る可変入賞装置を示し、２は図示しない遊技盤の前面に添わせ固定する取付基板、３は入賞球を処理し、扉を開閉する駆動機構体を収容する第１の機構体を、そして４は第２の機構体を示す。
【００３９】
ここに示す実施形態は、入賞球を受ける飛入口を上下に２個形成する２段式の可変入賞装置を示している。そのため上段に設置される第１の機構体３と、下段に設置される第２の機構体４を含むものとなっているが、説明の都合上、第１の機構体３につき説明し、その後第２の機構体４を説明することにする。
【００４０】
第１の機構体３は、入賞球受枠５と機構枠６を中心に構成されている。上記入賞球受枠５は合成樹脂を材料に前方を開放した横長の箱形に形成して内部を入賞球室７としている。この入賞球室７は奥行をパチンコ球１個を受け入れる幅に形成し、底部８は受け入れた球をここでは右方に整列誘導するため右下りの勾配を付しており、右端の後部には室外に球を放出する球通路９を開設する。
【００４１】
この入賞球受枠５の起立した両側壁１０，１０には外側面に後述する機構枠６を止付ける係止受部１１，１１を設け、内側面側には取付基板２の背面から延設する係止爪片を掛止める係止部１２，１２を設けている。そして、各側壁１０，１０の内側に間隔を置いて隔壁１３，１３を配置し、この隔壁の前端下部に扉１４を枢着する軸受部１５，１５を設けている。
【００４２】
前記入賞球室７は、上記左右の隔壁１３，１３の内側に間隔を置いて左右の側壁１６，１６を設け、このうち左方の側壁１６と左方の隔壁１３との間に後述する連結揺動体を前後方向に通す揺動体挿通空部１７を形成する。
【００４３】
尚、前記側壁１０は外側面の中央部から後端部に亘って略板厚分外に向けて張り出しを設け、壁の中央部分に段部１８，１８を形成し、この段部を係止受部１１，１１の爪掛け部分としている。その一方、この段部１８，１８に臨む外側面の一部を切欠いて穴１９，１９を設け、この穴を前記係止部１２の爪掛け部分としている。
【００４４】
一方、前記入賞球受枠５の背面には入賞球室７の背面より後方に突出し、左後部に上方と後方を開放する受部２０を形成する。そして、右後部の下半部には前記球通路９に臨んで検出スイッチ２１を装着する装着部２２を形成し、これら左右の後部に挟まれる中央部分に上下に抜ける空間を形成して本発明装置の上方から落とされる入賞球を通過させるための誘導路２３を形成している。
【００４５】
上記誘導路２３は、本発明可変入賞装置が遊技盤に設置されたとき、その上方に設置される入賞口、例えば始動入賞口に飛入する入賞球を系外に放出するに当ってこれを円滑に誘導するため形成する通路空間であり、これにより入賞球は他を迂回することなく本可変入賞装置の中を貫通して直下方向に誘導することができることになっている。
【００４６】
さて、前記入賞球受枠３の左後部に形成される前記受部２０は、前記揺動体挿通空部１７と連通し、後述するソレノイドのホルダの前半部を受け入れる。また、右後部の装着部２２は検出スイッチ２１を後方から受け入れるため検出スイッチの板厚に合せた上下の枠２４を備え、この枠の後方に位置させて先端に係止爪を備える弾性係止片２５を突設し、掛止めることで検出スイッチ２１の装着状態を確保できるようにしてある。
【００４７】
図中２７は、この入賞球受枠３の背面部の垂直な起立面に揃えて形成した照明用レンズ体２６を装着するための当接部である。この当接部は２ヶ所に上記レンズ体２６に穿つ係止凹部２８を係止する小突起２９を設け、後方から上記レンズ体２６を添わせたときこの小突起２９を上記係止凹部２８に嵌め付けて位置決めすると同時に、上下の移動を拘束するものとなる。
【００４８】
上記レンズ体２６は、前記入賞球室７の背面を被う大きさの板状に形成してあり、背面側の全面に小突起を列設してレンズ効果を発揮できるようにしてある。そして、背面部の縁部に沿って間隔保持枠３０を突設し、この保持枠の左右の後縁部に切欠き部３１を設けて光源となるＬＥＤ基板３２の耳片３３を受け入れ、位置決めして組付けられるようにしてある。
【００４９】
ＬＥＤ基板３２は、前面の適所にＬＥＤ３４を配置し、後面に接続端子３５を備え、レンズ体２６の背面に組付けることで光源を備えたレンズ体を構成することになる。尚、このレンズ体２６とＬＥＤ基板３２は後述するように入賞球受枠３と機構枠４の連結結合によってこの両者間に挟持固定されることになる。
【００５０】
一方、機構枠６は、前記入賞球受枠５と組合う関係から合成樹脂を材料に前方を開放した箱形に形成してその外形を入賞球受枠５の大きさに揃えて結合時の一体化を図るようにしてある。
この機構枠６は、前記扉１４を開閉動するためのソレノイド３６を装着し、併せて外部からの信号、電力を受ける中継基板３７を装着するものとなっており、開口する前面の左端にはソレノイド３６を受けるための取付台３８を、背面部には上記中継基板３７を装着するための装着部３９を備える。
【００５１】
上記取付台３８は、棚状に形成してあり、前記ソレノイド３６を保持するホルダ４０を前面側から受け入れ、左右の枠４１，４１によって横移動を止めると共に上面板４２によって上下で挟みホルダを定位置に固定できるようにしてある。そして、この取付台３８は、前記入賞球受枠５に形成する受部２０に対向して設けてあり、ホルダ４０に収めたソレノイド３６を載置したとき、その前半部がこの受部２０に入り込むようにしてある。
【００５２】
装着部３９は機構枠６の背面に中継基板３７の形状に合せて形成する実質的に矩形をなす枠４３と、この枠の一端（左端）に設けられる固定の係止部４４と、他端に設けられる弾性を付与した係止爪片４５によって構成してあり、中継基板３７を枠４３の内側に嵌め入れるように一側縁を差し入れ、上記固定の係止部４４に掛け止めたのち、他側縁を上記係止爪片４５に押付け、これを無理に押付けることでこの爪片を撓ませて爪に掛止め装着できるようにしてある。
【００５３】
上記中継基板３７には図示しない制御装置からの接続コードを接続する端子４６と、前記検出スイッチ２１、ソレノイド３６のコードを接続する端子４７とを有し、この中継基板を介して電力の供給と信号の交換が行われる。
【００５４】
この機構枠６は両側壁４８，４８の前縁部から延設する連結係止片４９，４９を前記入賞球受枠５の側壁１０，１０に設ける係止受部１１，１１に掛止めることで、この入賞球受枠と連結結合し、第１の機構体３を構成することになる。
上記連結係止片４９，４９は先端部に内向きの爪５０，５０を備え、前記係止受部１１の上下に並行して設ける突条５１，５１を案内にこの爪５０を滑らせて前方に送り、段部１８に掛止めることで入賞球受枠５と連結することになる。
【００５５】
尚、上記連結係止片４９の爪５０は先端側を弧面に形成してあり、連結時にはこの弧面を入賞球受枠５の側壁１０の後端に押当て、更に押込むことでこの係止片４９の弾性を利用して外方に撓めながら爪５０を段部１８に自動的に掛止められるようにしてあり、係止後は係止片４９の復元力で係止状態を確保するようにしてある。勿論、この係止状態は係止片４９を外に開き、爪５０の係合を外すことで引き離し解除することができるようになっている。
【００５６】
ところで、前記ソレノイド３６は、この機構枠６が入賞球受枠５に組付けられる前に取付台３８に収めることになる。
ソレノイド３６を保持する前記ホルダ４０は、上方の開口部から内部にソレノイド３６を嵌め込むようにして収め、左右の側枠５２，５２の前縁部に形成する軸受部５５，５５に連結揺動体５３の支軸５４を軸承し、組付けられるようにしてあり、上記軸受部５５は前方を開放する湾形の凹部にして、開放する前方から支軸５４を割込ませることで軸承することができるようにしてある。
【００５７】
一方、前記連結揺動体５３は、略Ｌ字形に形成して２本の揺動腕５６，５７を有し、屈折する中央部に前記支軸５４を貫通させ、この支軸５４を支点に上記２本の腕５６，５７を揺動できるようにしてある。そして、一方の揺動腕５６の先端に形成する連結軸５８をソレノイド３６のプランジャ５９の先端に取付ける連結体６０に係合させて連結揺動体５３とソレノイド３６との連結をしている。
【００５８】
上記ソレノイド３６の取付台３８に対する組付けは、先にソレノイド３６をホルダ４０に嵌め入れ、併せてこのホルダの軸受部５５，５５に支軸５４を軸承して連動揺動体５３を組付け、次にこの連結揺動体の揺動腕５６を連結体６０を介してプランジャー５９に連結する。そうしたのち、上記ホルダ４０を前述したように機構枠６の取付台３８に前方から押し入れ、これに載置するのである。その後、機構体６を前記入賞球受枠５の背後から臨ませ、連結係止片４９を係止受部１１の突条５１間を案内に突き入れ、爪５０を段部１８に掛け止めることで連結し、この連結を通して両枠５，６間に狭持し、固定して組付けるのである。
【００５９】
この組付けに当って、前記ホルダ４０の前半部を受部２０に嵌め入れると同時に、連結揺動体５３の一方の揺動腕５７を揺動体挿通空部１７に通して入賞球受枠５の前方に突き出し、この腕の先端に設けるＣ字形の連結部６１を扉１４の背面に設ける連結突起部６２に係合させ、両者を連結させる。
【００６０】
前記扉１４は、入賞球受枠５に形成する左右の隔壁１３，１３間に収まる幅に形成して左右の側部下端に設ける枢着部６３，６３を上記隔壁１３，１３に設ける軸受部１５，１５の内側に添わせ、これらに支軸６４，６４を挿通することによって枢着支持する構造にしてあり、常には前記ソレノイド３６のプランジャ５９に縮設するバネ６５の付勢によって前記連結揺動体５３を介して起立姿勢に保持し、入賞球室７の開口部を閉ざすことになる。
【００６１】
上記起立姿勢を採り、閉塞状態におかれる扉１４は、揺動する自由端を入賞球室７の開口部両端に突設するストッパ６６に当接することによって定位置に止められ、またソレノイド３６の励磁に伴ってプランジャ５９が収縮し、連結揺動体５３の腕５７の跳ね上げによって扉１４が開放されたとき、背面の右端に突設するストッパ６７を隔壁１３の内側面に設ける突起６８に当接して水平姿勢に保持され、開放状態を採ることになる。
【００６２】
機構体３は、上述の様に構成されるもので、前記入賞球受枠５の装着部２２に検出スイッチ２１を装着し、また背面の当接部２７にＬＥＤ基板３２を組付けたレンズ体２６を添わせて小突起２９と係止凹部２８との嵌め合せによって定位置に止め付け、また一方、前記機構枠６の取付台３８にホルダ４０に組付けたソレノイド３６を組入れ、この状態で両枠５，６を前述したように前後方向から衝き合せると、連結係止片４９が係止受部１１に係合して一体に組合うことから、この結合操作によって自動的に機構体３が完成されることになる。
【００６３】
この入賞球受枠５と機構枠６との連結を通してＬＥＤ基板３２を添わせた前記レンズ体２６は挟み込まれて固定され、また取付台３８に載置したソレノイド３６もこの取付台３８と受部２０との間に挟み込まれて固定されることになり、これらは全く止め具等を用いることなく組込まれることになる。
【００６４】
次に、図１５乃至図２２及び図２８、図２９は下段に設備される第２の機構体４を示したもので、以下これらの図面に従って説明する。
第２の機構体４は、前記第１の機構体３と構成の一部を異にするだけで略同様の構成部分からなっている。この構成の部分的相違は、第１の機構体３の下方に位置することと、やゝ第１の機構体３に比較して横幅を拡大したことに基因しており、基本的には第１の機構体３と共通するものとなっている。このため、以下の説明では第１の機構体３と同一の部所乃至同一の機能の下に構成される部所については同一の符号を付してその説明を省略する。
【００６５】
図２８は、前記第１の機構体３を分解した図２６に対応する第２の機構体４の分解斜視図である。また図２９は同じく図２７に対応する斜視図である。図面における符号１０５は入賞球受枠であり、１０６は機構枠である。
上記入賞球受枠１０５は、前記第１の機構体３の入賞球受枠５より横に広く形成されると同時に、入賞球室７の底部８の傾斜を左下りの勾配にして左端に球通路９を設けている。そして、この球通路９の位置から入賞球受枠の背面側に設けられる検出スイッチ２１の装着部２２を左側に移し、代ってソレノイド３６のホルダ４０を受ける受部２０を右側に設け、これに連通する連結揺動体５３の挿通空部１７を同様に右側に設けている。
【００６６】
この各部の位置を第１の機構体３に対して左右入れ替えにしているのは両機構体３，４における球通路９，９が上下において一致し、検出スイッチ２１の装着位置が上下に重複するのを避けるためであり、従って、ここでは実質的な相違はないものとなっている。
尚、球通路２３は第１の機構体３の入賞球受枠５に形成される位置に合せて入賞球室７の背後の中央部に縦向きに形成し、第１，第２の機構体３，４を上下に設置したとき上下に連通するようにしてある。
【００６７】
レンズ体２６及びＬＥＤ基板３２は、前記入賞球室７が横に拡大することに伴わせてやや横長に形成してあり、入賞球室７の背面全面を照明できるようにしてある。
ソレノイド３６とソレノイド３６を格納するホルダ４０、そして連結揺動体５３、連結体６０は第１の機構体３におけるものと全く同一のものとなる。
【００６８】
機構枠１０６は、前記入賞球受枠１０５に対応させて横幅を拡張した形に形成してあり、ソレノイド３６を受る取付台３８を前記受部２０に対応させて右側に移してある。
この機構枠１０６の背面部には中継基板３７の装着部３９は省略されており、検出スイッチ２１、ソレノイド３６のための中継基板は、第１の機構体３の中継基板３７を共用するものとしている。
【００６９】
上記の如く第２の機構体４は前記第１の機構体３と略同じ構造に構成されることからその組立も同じものとなる。
ここで第２の機構体４が第１の機構体３と異なる点は、前述したようにソレノイド３６の取付位置が左側から右側に移動しただけであり、入賞球受枠１０５に対して支軸６４を介して扉１４が枢着され、装着部２２に後方から検出スイッチ２１が挿入されて係止爪片２５によって掛止められ、また機構枠１０６の取付台３８にホルダ４０に収められたソレノイド３６が載置されることも前記第１の機構体３における場合と同じである。
【００７０】
そして、前記入賞球受枠１０５と機構枠１０６が連結係止片４９を係止受部１１に掛止めて連結組合せることも、またこの際入賞球受枠１０５の背面に添わせるレンズ体２６をＬＥＤ基板３２と共に挟み込むこと、そして前記取付台３８上のソレノイド３６を受部２０において挟み込むことも同じであり、両枠の結合を以て固定されることになる。
【００７１】
本実施形態における可変入賞装置は、上述の通り、第１、第２の機構体３，４を有するものとすることから、この両体を組付けるため取付基板２には大小の飛入口６９，７０を上下２段に開設している。そして、この両飛入口６９，７０の両側背面部から各機構体３，４を結合するためのそれぞれ対をなす係止爪片７１，７１と７２，７２を延設する。
【００７２】
機構体３，４の取付基板に対する組付けは、入賞球受枠５，１０５に形成する係止部１２に上記係止爪片７１，７２を侵入させ、各片の先端に外向きに設ける爪７３，７４を前記切欠き部１９に掛け止めることによって行われる。
係止爪片７１，７２は共に係止部１２に形成する溝に沿って誘導され、押込み切った位置で切欠き部１９に係合し、且つ上記の溝に係止爪片の腕部分を嵌め込むことによってガタ付きのない状態での連結が得られることになる。
【００７３】
そして、この連結によって各機構体３，４は、入賞球受枠５，１０５の前面に備えた扉１４を前記飛入口６９，７０に臨ませ、開放時にはこの飛入口を通して取付基板２の前方に向けて突き出し、打球を受け取ることになる。
図中７５，７６は飛入口６９，７０の背面側開口縁に沿って形成した入賞球室７の開口縁部を受け入れるための枠で、７７，７８は扉１４を枢着する軸受部１５を受け入れるための受入部である。そして、７９は取付基板２、つまり本発明に係る可変入賞装置１を遊技盤に固定するための止めネジ用の透孔である。
【００７４】
上記取付基板２の背面に係止爪片７１，７２を介して連結し、固定される第１、第２の機構体３，４は、上下に重った状態で固定され、両体に縦に設けた入賞球通路２３，２３を連通させることになる。そして、上段の第１の機構体３の背面に取付けた中継基板３７に各機構体に備えた検出スイッチ２１とソレノイド３６の信号用、電源用のコードを接続し、可変入賞装置を完成させることになる。
【００７５】
本実施形態では、上下２つの機構体３，４を備え、取付基板２に上下２段に飛入口６９，７０を備える可変入賞装置としたが、本発明では１つの機構体を組付けるものとして取付基板２に単一の飛入口を形成する可変入賞装置としても、また必要とするならば、第３の機構体を準備し、取付基板に形成する第３の飛入口に臨ませて三段型の可変入賞装置とすることも可能であり、更には機構体３個分に当る１つの飛入口を開設して３段重にした３個の機構体をこれに臨ませ組付けるようにしてもよい。
【００７６】
以上の説明において明らかなように、本発明は可変入賞装置の機構本体部分を構成する機構体を入賞球受枠５と機構枠６とから構成し、この両者を連結係止片４９と係止受部１１の連結結合によって一体に組合せる構造にしてユニット化し、単一体としたこと、そして、これとは別体に取付基板２を形成してこの両者を連結係合手段によって結合することで最終的な可変入賞装置に組立て完成できるようにしたことによって機構体と取付基板との組合せを自由に選択することができるようにしたこと、そして、機構体に対して取付基板を自由に交換可能にしたことに特徴がある。
【００７７】
換言すれば、本発明は機構体を取付基板から独立させて単独の取扱いを可能にし、異なる取付基板に対して自由に組合わせられるようにし、その一方、取付基板と機構体との連結結合手段を共通化することによって異なるもの同士の組立を可能にしたことにあり、これによって取付基板単独での交換が可能となり、また機構体のみを取付基板から外して再使用が可能となっているのである。
つまり、この取付基板２の取替えの容易さから遊技盤を廃棄処分するような場合に、デザインの相違から使用が困難になった場合でも構造部分に差異がない場合は取付基板を交換することによって本体部分の機構体を再利用することが可能となったのである。
【００７８】
尚、前記実施の形態では、扉１４を入賞球室７の開口部に備える軸受部１５，１５に枢着する場合について説明したが、この軸受部１５，１５を取付基板２の飛入口６９（，７０）の両側部の背面部、つまり受入部７７，７８の位置に形成し、これに支軸６４を介して扉１４を枢着し、この扉を取付基板２側に組付けるようにしても本発明を有効に実施することができる。
【図面の簡単な説明】
【００７９】
【図１】本発明に係る可変入賞装置の正面図。
【図２】右側面図。
【図３】背面図。
【図４】斜視図。
【図５】図１のＡ−Ａ線断面図。
【図６】図１のＢ−Ｂ線断面図。
【図７】入賞球受枠の正面図。
【図８】入賞球受枠の右側面図。
【図９】入賞球受枠の平面図。
【図１０】入賞球受枠の斜視図。
【図１１】機構枠の正面図。
【図１２】機構枠の右側面図。
【図１３】機構枠の平面図。
【図１４】機構枠の斜視図。
【図１５】第２機構体の入賞球受枠の正面図。
【図１６】第２機構体の入賞球受枠の右側面図。
【図１７】第２機構体の入賞球受枠の平面図。
【図１８】第２機構体の入賞球受枠の斜視図。
【図１９】第２機構体の機構枠の正面図。
【図２０】第２機構体の機構枠の右側面図。
【図２１】第２機構体の機構枠の平面図。
【図２２】第２機構体の機構枠の斜視図。
【図２３】取付基板の正面図。
【図２４】取付基板の右側面図。
【図２５】取付基板の平面図。
【図２６】第１機構体の正面側から見た分解斜視図。
【図２７】第１機構体の背面側から見た分解斜視図。
【図２８】第２機構体の正面側から見た分解斜視図。
【図２９】第２機構体の背面側から見た分解斜視図。
【図３０】取付基板と第１機構体と第２機構体との関係を説明する分解斜視図。
【符号の説明】
【００８０】
１                  可変入賞装置
２                  取付基板
３                  第１の機構体
４                  第２の機構体
５，１０５          入賞球受枠
６，１０６          機構枠
７                  入賞球室
８                  入賞球室の底部
９                  入賞球室の球通路
１０                側壁
１１                係止受部
１２                係止部
１３                隔壁
１４                扉
１５                軸受部
１７                揺動体挿通空部
１８                入賞球室の側壁外側面に形成される段部
１９                入賞球室の側壁外側面に形成される穴
２０                ホルダの受部
２１                検出スイッチ
２２                検出スイッチの装着部
２３                誘導路
２５                検出スイッチの係止爪
２６                レンズ体
２８                係止凹部          
２９                小突起
３０                スペーサ台
３２                ＬＥＤ基板
３４                光源としてのＬＥＤ
３６                ソレノイド
３７                中継基板
３８                ソレノイドの取付台
３９                装着部
４０                ホルダ
４６，４７          接続端子
４９                連結係止片
５０                爪
５３                連結揺動体
５４                支軸
５５                軸受部
５６，５７          連結揺動体の揺動腕
５８                軸
５９                プランジャ  
６０                連結体
６１                連結部
６２                連結突起部
６３                枢着部
６４                支軸
６９，７０          飛入口
７１，７２          係止爪片
【図１】
2007044387.tif 000003
【図２】
2007044387.tif 000004
【図３】
2007044387.tif 000005
【図４】
2007044387.tif 000006
【図５】
2007044387.tif 000007
【図６】
2007044387.tif 000008
【図７】
2007044387.tif 000009
【図８】
2007044387.tif 000010
【図９】
2007044387.tif 000011
【図１０】
2007044387.tif 000012
【図１１】
2007044387.tif 000013
【図１２】
2007044387.tif 000014
【図１３】
2007044387.tif 000015
【図１４】
2007044387.tif 000016
【図１５】
2007044387.tif 000017
【図１６】
2007044387.tif 000018
【図１７】
2007044387.tif 000019
【図１８】
2007044387.tif 000020
【図１９】
2007044387.tif 000021
【図２０】
2007044387.tif 000022
【図２１】
2007044387.tif 000023
【図２２】
2007044387.tif 000024
【図２３】
2007044387.tif 000025
【図２４】
2007044387.tif 000026
【図２５】
2007044387.tif 000027
【図２６】
2007044387.tif 000028
【図２７】
2007044387.tif 000029
【図２８】
2007044387.tif 000030
【図２９】
2007044387.tif 000031
【図３０】
2007044387.tif 000032